(57)【特許請求の範囲】
【請求項１】
筆記具を尖らす機構であって、前記機構は、筆記具の端部を適切に収容する孔を有する機構本体と、前記機構に固定され、前記筆記具を適切に尖らす切削用ブレードと、前記孔に収容可能な前記筆記具端部の長さを変更するための前記機構本体に対して可動なストッパーと、回転して前記ストッパーの移動を調節する機能を有するノブ部材とを備え、前記ストッパーは、ねじ切りによって前記ノブ部材と係合する機構。
【請求項２】
前記ストッパーは、前記機構の長手方向軸にほぼ平行な軸に沿って前記機構本体に対して逐次的に可動である請求項１記載の機構。
【請求項３】
前記機構本体は、前記ストッパーの前記機構に対する移動を案内するための部材を含む請求項１記載の機構。
【請求項４】
前記ノブ部材は、回転して前記ストッパーの移動を調節する機能を有する請求項１記載の機構。
【請求項５】
前記ストッパーは、前記ノブ部材の内側面の少なくとも一部をなすねじ切り部と係合する外側のねじ切り部を含む請求項１記載の機構。
【請求項６】
前記ストッパーは、前記ノブ部材のスピンドル部材の少なくとも一部をなすねじ切り部と係合する内側ねじ切り部を含む請求項１記載の機構。
【請求項７】
請求項１〜６のいずれか１記載の機構を含む鉛筆削り器。
【発明の詳細な説明】
【０００１】
【発明の属する技術分野】
この発明は、例えば、鉛筆のような筆記具を尖らすための機構、特に、前記の尖らすための機構内に挿入される筆記具の端部の長さが調節できる筆記具を尖らすための機構に関する。
【０００２】
【従来の技術】
鉛筆削りは大変長い間に亘って利用されている。そのような鉛筆削りの外観を審美的に魅力のあるものとする様々な工夫が施されたが、その基本的な構造に改良が行われたことは比較的稀である。従来型の鉛筆削りは、外側の広い入り口から尖った内端部に向かって傾斜を備えるほぼ円錐形の挿入孔を含む。この挿入孔は、鉛筆が、鉛筆削り器に対して回転されてその内部に移動するとき、鉛筆が鉛筆削り器に固定された切削用ブレードによって削られるように、鉛筆を内部に挿入することを可能にする。
【０００３】
従来の鉛筆削り器の１つのタイプにおいては、鉛筆が挿入孔進入して回転を続けるように、孔の内端部は閉じられていない。そのような器具の欠点は、鉛筆が必要以上に尖らされるてしまうこと、すなわち、ユーザーが鉛筆をそれほど尖らすことを望んではいない点である。
【０００４】
改良点として、鉛筆が鉛筆削り器に対してその内部に移動することを制限するために挿入孔の内端部にストッパーを備える鉛筆削り器もある。そのような器具を使用すれば、鉛筆がひとたびストッパーに接するまで処理されれば、鉛筆がそれ以上回転しても、これ以上内側に移動することがないので、鉛筆がこれ以上に削られることはない。このような器具に関連する欠点は、鉛筆削り器が、ユーザーが必要とする尖り具合まで鉛筆を削ることができない点である。
【０００５】
なお別の改良点として、それぞれが切削用ブレードを備える二つの挿入孔を有し、かつそのうちの一方がストッパーを持ち、他方がストッパーを持たない従来型の鉛筆削りもある。そのような鉛筆削りは、製造コストが嵩むのみならず、このタイプの鉛筆削りは、基本的に二種類の尖り具合しか許されないという欠点に悩んでいる。
【０００６】
【発明が解決しようとする課題】
前記の欠点が緩和される、すなわち、公衆に有用な代替器具を提供することができる筆記具を尖らす改良機構を提供することがこの発明の目的である。
【０００７】
【課題を解決するための手段】
この発明によれば、筆記具を尖らす機構が提供され、前記機構は、筆記具の端部を適切に収容する孔を有する機構本体と、前記機構に固定され、前記筆記具を適切に尖らす切削用ブレードとを備え、前記機構は更に、前記孔に収容可能な前記筆記具端部の長さを変更するために、前記機構本体に対して可動なストッパーを備える。
【０００８】
【発明の実施の形態】
この発明を例示を介して添付図面を参照しつつ以下に説明する。
【０００９】
図１、２は、符号１０で一般的に示されるこの発明の鉛筆削りを示す。この鉛筆削り１０は、２つのねじ１６によって端部キャップ１４に固定された本体１２を含む。本体１２は、円形の入り口２０を備える前部円形プレート１８を含み、前記円形プレート１８は、円錐形孔２２に導かれ、この様子は図９にもっと明快に示される。従来の鉛筆削りにおけるように、切削用ブレード２４は、ねじ２６によって本体１２に固定されるので、鉛筆の一端部が孔２２内に挿入されると、本体１２に対する鉛筆の回転と移動が、ブレード２４によって、鉛筆を切削して芯を尖らせることとなる。
【００１０】
図２から特に明らかなように、鉛筆削り器１０は、ストッパー３０と関連するノブ２８を含む。ノブ２８の下端部３２は、端部キャップ１４のキャビティー３４と一緒に収容され、リング３６が端部キャップ１４に坐着するので、ノブ２８はキャップ１４に対して回転することができる。リング３６の内側面３８は、ねじ切りを有する。更に、ノブ２８は、その外側面にねじが切られているスピンドル４０を含む。ストッパー３０は、ストップ面４２を備える。ストッパー３２の下方部は、内側のねじ切り４４と外側のねじ切り４６を備える。ストッパー３０の下方部は、ストッパー３０の内側ねじ切りとスピンドル４０と噛み合い、外側のねじ切り４６がリング３６の内側面にあるねじ切りと噛み合うように、ノブ２８のスピンドル４０とノブ２８のリング３６の内側面３８の間においてキャビティー４８内に収容される。ノブ２８とストッパー３０の間には２つのねじ切り係合部が存在すること、すなわち、スピンドル４０とストッパー３０の内側ねじ切り４４の間の係合部と、ストッパー３０の外側ねじ切り４６とリング３６の内側面３８の間の係合部とが存在する点を理解すべきではあるが、この発明の目的を達するためには１つの係合部があるだけで充分である。
【００１１】
ストッパー３０の上方部は、一般に長方形プリズムの形態をしており、ストッパー３０の本体１２に対する移動を案内する案内部材５２によって形成されるチャンネル５０内に収容される。そのような器具によって、ノブ２８が回転すると、ストッパー３０は、ストップ面４２が、孔２２の鋭い端部と同じか、(図９の感覚において)もっと低位にある(図９においてＰaによって示される)第一の位置と、孔２２の端部よりも(再び図９の感覚において)上位にある(図９においてＰbによって示される)第二の位置との間を逐次本体１２に向かって移動させる。ストップ面４２が、位置Ｐaにあるとき、鉛筆削り器１０は、ストッパーがない１つの鉛筆削り器として機能する。ストッパー３０は、ストップ面４２がＰbに位置するように、ノブ２８によって移動されると、孔２２内に挿入された鉛筆の端部は、ストップ面４２と接して、孔２２内に挿入されることができる鉛筆端部の長さを制限する。したがって、そのような器具は、孔２２内に挿入されることができる鉛筆端部の長さを変化させる。この発明の別の特徴は、ストップ面４２が、ＰaとＰbの中間のどこにでも位置することができる点であり、削られた鉛筆の尖り具合がユーザーによって選択されることである。
【図面の簡単な説明】
【図１】この発明の鉛筆削り器の斜視図。
【図２】図１の鉛筆削り器の分解‐組立図。
【図３】図１の鉛筆削り器の正面図。
【図４】図１の鉛筆削り器の上面図。
【図５】図４の鉛筆削り器の底面図。
【図６】図４の鉛筆削り器の左側面図。
【図７】図４の鉛筆削り器の右側面図。
【図８】図４の鉛筆削り器の背面図。
【図９】図３の鉛筆削り器のA‐A線に沿う断面図
【図１０】図４の鉛筆削り器のB‐B線に沿う断面図。
【図１１】図３の鉛筆削り器のC‐C線に沿う断面図。
【符号の説明】
１０…鉛筆削り器，１２…機構本体，１４…端部キャップ，１６…ねじ，１８…円形プレート，２０…円錐形孔，２４…切削用ブレード，２８…ノブ，３０…ストッパー，３６…リング，４０…スピンドル，４２…ストップ面，５２…案内部材。
【図１】
0003844666.tif 000002
【図２】
0003844666.tif 000003
【図３】
0003844666.tif 000004
【図４】
0003844666.tif 000005
【図５】
0003844666.tif 000006
【図６】
0003844666.tif 000007
【図７】
0003844666.tif 000008
【図８】
0003844666.tif 000009
【図９】
0003844666.tif 000010
【図１０】
0003844666.tif 000011
【図１１】
0003844666.tif 000012